(57)【要約】【課題】画像形成装置の補助電源に蓄電されている電力を有効に活用することができる画像形成装置、電力供給制御方法および電力供給制御プログラムを提供する。【解決手段】商用電源から供給された電流量を検出する入力電流検出回路１０３と、充放電可能なキャパシタ１０７から供給された電力を外部に出力する外部出力部１０９と、キャパシタ１０７の出力を外部出力部１０９に放電する放電器１０８を備え、制御回路１０５は、検出された電流量に基づいて、放電器１０８による放電を行うか否かを制御することにより、蓄電手段に蓄電された電力を画像形成装置の外部に供給することができる。【選択図】        図２
2008070429.tif 000002
【特許請求の範囲】
【請求項１】
充放電可能な蓄電手段と、
商用電源から供給された電流量を検出する電流検出手段と、
前記蓄電手段から供給された電力を外部に出力する外部出力手段と、
前記蓄電手段から前記外部出力手段に放電する放電手段と、
前記電流検出手段によって検出された前記電流量に基づいて、前記放電手段による放電を行うか否かを制御する制御手段と、
を備えることを特徴とする画像形成装置。
【請求項２】
前記制御手段は、前記電流検出手段によって検出された前記電流量が所定の電流量以下になった場合に、前記蓄電手段から前記外部出力手段に放電を行うように前記放電手段を制御すること、を特徴とする請求項１に記載の画像形成装置。
【請求項３】
前記放電手段から供給された直流電力を交流電力に変換する変換手段、をさらに備え、
前記外部出力手段は、前記変換手段によって変換された前記交流電力を外部に出力すること、を特徴とする請求項１または請求項２に記載の画像形成装置。
【請求項４】
前記変換手段によって変換された前記交流電力または商用電源から供給される交流電力のいずれか一方を入力するように切替える切替手段と、
前記切替手段から供給された前記交流電力から直流電力を生成する直流電源生成手段と、をさらに備え、
前記制御手段は、前記電流検出手段によって検出された前記電流量に基づいて、前記切替手段の切替を制御し、
前記外部出力手段は、前記直流電源生成手段から供給された前記直流電力を外部に出力すること、を特徴とする請求項３に記載の画像形成装置。
【請求項５】
商用電源から供給された交流電力を直流電力に変換する変換手段と、
前記放電手段から供給された前記直流電力または前記変換手段によって変換された直流電力のいずれか一方を入力するように切替える切替手段と、をさらに備え、
前記制御手段は、前記電流検出手段によって検出された前記電流量に基づいて、前記切替手段の切替を制御し、
前記外部出力手段は、前記切替手段から供給された前記直流電力を外部に出力すること、を特徴とする請求項１または請求項２に記載の画像形成装置。
【請求項６】
前記変換手段によって変換された前記交流電力または商用電源から供給される交流電力のいずれか一方から前記外部出力手段または前記画像形成装置の内部に供給されるように切替える切替手段、をさらに備え、
前記制御手段は、前記電流検出手段によって検出された前記電流量に基づいて、前記切替手段の切替を制御し、
前記外部出力手段は、前記切替手段から供給された前記交流電力を外部に出力すること、を特徴とする請求項３に記載の画像形成装置。
【請求項７】
前記蓄電手段から供給された直流電力を交流電力に変換する変換手段と、
前記変換手段から供給された前記交流電力を入力し、入力された前記交流電力から直流電力を生成し、前記画像形成装置の内部に供給する直流電源生成手段と、
前記変換手段と前記外部出力手段との接続を開閉する切替手段と、をさらに備え、
前記制御手段は、前記外部出力手段に電力が供給される時間を計測し、所定の時間によって、前記切替手段の開閉を制御し、
前記外部出力手段は、前記切替手段から供給された前記交流電力を外部に出力すること、を特徴とする請求項１または請求項２に記載の画像形成装置。
【請求項８】
前記蓄電手段から供給された直流電力を交流電力に変換する変換手段と、
前記変換手段から供給された前記交流電力を入力し、入力された前記交流電力から直流電力を生成し、前記画像形成装置の内部に供給する直流電源生成手段と、
前記変換手段と前記外部出力手段との接続を開閉する切替手段と、
前記蓄電手段の電力量を検知する残量検知手段と、をさらに備え、
前記制御手段は、前記残量検知手段によって検知された前記電力量に基づいて、前記切替手段の開閉を制御し、
前記外部出力手段は、前記切替手段から供給された前記交流電力を外部に出力すること、を特徴とする請求項１または請求項２に記載の画像形成装置。
【請求項９】
前記放電手段から供給された直流電力を交流電力に変換する変換手段と、
前記変換手段によって変換された前記交流電力または商用電源から供給される交流電力のいずれか一方を供給するように切替える切替手段と、
前記切替手段から供給された前記交流電力から直流電力を生成し、生成した前記直流電力を付属機器に供給する直流電源生成手段と、をさらに備え、
前記制御手段は、前記電流検出手段によって検出された前記電流量および前記付属機器から送出される動作情報に基づいて、前記切替手段の切替を制御すること、を特徴とする請求項１または請求項２に記載の画像形成装置。
【請求項１０】
充放電可能な蓄電手段と、
前記蓄電手段から供給される電力を外部に出力する外部出力手段と、
を備えることを特徴とする画像形成装置。
【請求項１１】
前記蓄電手段で蓄電されている電力量の残量を検知する残量検知手段と、
前記残量検知手段によって検知された前記電力量の残量を表示する表示手段と、をさらに備えることを特徴とする請求項１０に記載の画像形成装置。
【請求項１２】
充放電可能な蓄電手段と、商用電源から供給された電流量を検出する電流検出手段と、前記蓄電手段から供給された電力を外部に出力する外部出力手段と、前記蓄電手段から前記外部出力手段に放電する放電手段と、を備える画像形成装置の電力供給制御方法において、
前記電流検出手段によって検出された前記電流量に基づいて、前記放電手段による放電を行うか否かを制御する制御ステップと、
を有することを特徴とする電力供給制御方法。
【請求項１３】
請求項１２に記載された電力供給制御方法をコンピュータに実行させることを特徴とする電力供給制御プログラム。
【発明の詳細な説明】
【技術分野】
【０００１】
本発明は、補助電源を利用した画像形成装置、電力供給制御方法および電力供給制御プログラムに関する。
【背景技術】
【０００２】
従来、画像形成装置において記録媒体上に画像を形成する技術としては、記録媒体上にトナー像を形成し、形成したトナー像を熱と圧力で記録媒体上に定着する電子写真方式が一般に知られている。かかる技術において、商用電源を用い、定着部を定着可能な温度に短時間で加熱するためには、補助電源から電力を供給しているが、補助電源は充放電を何度も繰り返すと蓄電容量が低下するという問題があった。
【０００３】
このような問題を解決するものとして、補助電源を放電器側に切替えた場合に、補助電源に充電された電荷を強制的に放電器で放電させる画像形成装置が開示されている（特許文献１参照）。
【０００４】
【特許文献１】特開２００４−２８６８８２号公報
【発明の開示】
【発明が解決しようとする課題】
【０００５】
しかしながら、上記特許文献１に記載された技術では、補助電源に蓄電された電力を他に用いることなく放電するため、蓄電電力を有効に活用することができなかった。
【０００６】
また、非常時や災害時に商用電源からの電力の供給が停止した場合、画像形成装置において大容量の電力を蓄電している場合であっても、蓄電された電力を有効に活用することができなかった。
【０００７】
本発明は、上記に鑑みてなされたものであって、補助電源に蓄電されている電力を有効に活用することができる画像形成装置、電力供給制御方法および電力供給制御プログラムを提供することを目的とする。
【課題を解決するための手段】
【０００８】
上述した課題を解決し、目的を達成するために、請求項１にかかる発明は、充放電可能な蓄電手段と、商用電源から供給された電流量を検出する電流検出手段と、前記蓄電手段から供給された電力を外部に出力する外部出力手段と、前記蓄電手段から前記外部出力手段に放電する放電手段と、前記電流検出手段によって検出された前記電流量に基づいて、前記放電手段による放電を行うか否かを制御する制御手段と、を備えることを特徴とする。
【０００９】
また、請求項２にかかる発明は、請求項１に記載の画像形成装置において、前記制御手段は、前記電流検出手段によって検出された前記電流量が所定の電流量以下になった場合に、前記蓄電手段から前記外部出力手段に放電を行うように前記放電手段を制御すること、を特徴とする。
【００１０】
また、請求項３にかかる発明は、請求項１または請求項２に記載の画像形成装置において、前記放電手段から供給された直流電力を交流電力に変換し、変換された前記交流電力を前記外部出力手段に供給する変換手段、をさらに備え、前記外部出力手段は、前記変換手段によって変換された前記交流電力を外部に出力すること、を特徴とする。
【００１１】
また、請求項４にかかる発明は、請求項３に記載の画像形成装置において、前記変換手段によって変換された前記交流電力または商用電源から供給される交流電力のいずれか一方を入力するように切替える切替手段と、前記切替手段から供給された前記交流電力から直流電力を生成し、生成した前記直流電力を前記外部出力手段に供給する直流電源生成手段と、をさらに備え、前記制御手段は、前記電流検出手段によって検出された前記電流量に基づいて、前記切替手段の切替を制御し、前記外部出力手段は、前記直流電源生成手段から供給された前記直流電力を外部に出力すること、を特徴とする。
【００１２】
また、請求項５にかかる発明は、請求項１または請求項２に記載の画像形成装置において、商用電源から供給された交流電力を直流電力に変換する変換手段と、前記放電手段から供給された前記直流電力または前記変換手段によって変換された直流電力のいずれか一方を入力するように切替える切替手段、をさらに備え、前記制御手段は、前記電流検出手段によって検出された前記電流量に基づいて、前記切替手段の切替を制御し、前記外部出力手段は、前記切替手段から供給された前記直流電力を外部に出力すること、を特徴とする。
【００１３】
また、請求項６にかかる発明は、請求項３に記載の画像形成装置において、前記変換手段によって変換された前記交流電力または商用電源から供給される交流電力のいずれか一方から前記外部出力手段または前記画像形成装置の内部に供給されるように切替える切替手段、をさらに備え、前記制御手段は、前記電流検出手段によって検出された前記電流量に基づいて、前記切替手段の切替を制御し、前記外部出力手段は、前記切替手段から供給された前記交流電力を外部に出力すること、を特徴とする。
【００１４】
また、請求項７にかかる発明は、請求項１または請求項２に記載の画像形成装置において、前記蓄電手段から供給された直流電力を交流電力に変換する変換手段と、前記変換手段から供給された前記交流電力を入力し、入力された前記交流電力から直流電力を生成し、前記画像形成装置の内部に供給する直流電源生成手段と、前記変換手段と前記外部出力手段との接続を開閉する切替手段と、をさらに備え、前記制御手段は、前記外部出力手段に電力が供給される時間を計測し、所定の時間によって、前記切替手段の開閉を制御し、前記外部出力手段は、前記切替手段から供給された前記交流電力を外部に出力すること、を特徴とする。
【００１５】
また、請求項８にかかる発明は、請求項１または請求項２に記載の画像形成装置において、前記蓄電手段から供給された直流電力を交流電力に変換する変換手段と、前記変換手段から供給された前記交流電力を入力し、入力された前記交流電力から直流電力を生成し、前記画像形成装置の内部に供給する直流電源生成手段と、前記変換手段と前記外部出力手段との接続を開閉する切替手段と、前記蓄電手段の電力量を検知する残量検知手段と、をさらに備え、前記制御手段は、前記残量検知手段によって検知された前記電力量に基づいて、前記切替手段の開閉を制御し、前記外部出力手段は、前記切替手段から供給された前記交流電力を外部に出力すること、を特徴とする。
【００１６】
また、請求項９にかかる発明は、請求項１または請求項２に記載の画像形成装置において、前記放電手段から供給された直流電力を交流電力に変換する変換手段と、前記変換手段によって変換された前記交流電力または商用電源から供給される交流電力のいずれか一方を供給するように切替える切替手段と、前記切替手段から供給された前記交流電力から直流電力を生成し、生成した前記直流電力を付属機器に供給する直流電源生成手段と、をさらに備え、前記制御手段は、前記電流検出手段によって検出された前記電流量および前記付属機器から送出される動作情報に基づいて、前記切替手段の切替を制御すること、を特徴とする。
【００１７】
また、請求項１０にかかる発明は、充放電可能な蓄電手段と、前記蓄電手段から供給される電力を外部に出力する外部出力手段と、を備えることを特徴とする。
【００１８】
また、請求項１１にかかる発明は、請求項１０に記載の画像形成装置において、前記蓄電手段で蓄電されている電力量の残量を検知する残量検知手段と、前記残量検知手段によって検知された前記電力量の残量を表示する表示手段と、をさらに備えることを特徴とする。
【００１９】
また、請求項１２にかかる発明は、充放電可能な蓄電手段と、商用電源から供給された電流量を検出する電流検出手段と、前記蓄電手段から供給された電力を外部に出力する外部出力手段と、前記蓄電手段から前記外部出力手段に放電する放電手段と、を備える画像形成装置の電力供給制御方法において、前記電流検出手段によって検出された前記電流量に基づいて、前記放電手段による放電を行うか否かを制御する制御ステップと、を有することを特徴とする。
【００２０】
また、請求項１３にかかる発明は、請求項１２に記載された電力供給制御方法をコンピュータに実行させることを特徴とする。
【発明の効果】
【００２１】
請求項１にかかる発明によれば、充放電可能な蓄電手段と、商用電源から供給された電流量を検出する電流検出手段と、蓄電手段から供給された電力を外部に出力する外部出力手段と、蓄電手段から外部出力手段に放電する放電手段を備え、検出された電流量に基づいて、放電手段による放電を行うか否かを制御することにより、蓄電手段に蓄電された電力を画像形成装置の外部に供給することができるため、画像形成装置の補助電源に蓄電されている電力を有効に活用することができるという効果を奏する。
【００２２】
また、請求項２にかかる発明によれば、電流検出手段によって検出された電流量が所定の電流量以下になった場合に、蓄電手段から外部出力手段に放電を行うように放電手段を制御することにより、商用電源から電力が供給されない場合に蓄電手段から電力を供給することができるため、停電や電源プラグの引抜き等の非常時に画像形成装置の補助電源に蓄電されている電力を有効に活用することができるという効果を奏する。
【００２３】
また、請求項３にかかる発明によれば、放電手段から供給された直流電力を交流電力に変換し、変換された交流電力を外部に出力することにより、外部に交流電力を供給することができるため、交流電力を利用する外部機器を使用することができるという効果を奏する。
【００２４】
また、請求項４にかかる発明によれば、変換手段によって変換された交流電力または商用電源から供給される交流電力のいずれか一方を入力するように切替える切替手段と、切替手段から供給された交流電力から直流電力を生成する直流電源生成手段と、をさらに備え、電流検出手段によって検出された電流量に基づいて、切替手段の切替を制御し、直流電源生成手段から供給された直流電力を外部に出力することにより、商用電源または補助電源のいずれかから電力を外部に出力することができるため、外部機器は、途切れることなく連続して電力の供給を受けることができるという効果を奏する。
【００２５】
また、請求項５にかかる発明によれば、商用電源から供給された交流電力を直流電力に変換する変換手段と、放電手段から供給された直流電力または変換手段によって変換された直流電力のいずれか一方を入力するように切替える切替手段、をさらに備え、電流検出手段によって検出された電流量に基づいて、切替手段の切替を制御し、切替手段から供給された直流電力を外部に出力することにより、商用電源から入力される電力量によって商用電源または補助電源のいずれかから電力を外部に出力することができるため、外部機器は、途切れることなく連続して電力の供給を受けることができるという効果を奏する。
【００２６】
また、請求項６にかかる発明によれば、変換手段によって変換された交流電力または商用電源から供給される交流電力のいずれか一方から外部出力手段または画像形成装置の内部に供給されるように切替える切替手段、をさらに備え、電流検出手段によって検出された電流量に基づいて、切替手段の切替を制御し、切替手段から供給された交流電力を外部に出力することにより、商用電源から入力される電力量によって商用電源または補助電源のいずれかから電力を外部および画像形成装置の内部に出力することができるため、外部機器と画像形成装置のいずれも、途切れることなく連続して電力の供給を受けることができるという効果を奏する。
【００２７】
また、請求項７にかかる発明によれば、蓄電手段から供給された直流電力を交流電力に変換する変換手段と、変換手段から供給された交流電力を入力し、入力された交流電力から直流電力を生成し、画像形成装置の内部に供給する直流電源生成手段と、変換手段と外部出力手段との接続を開閉する切替手段と、をさらに備え、外部出力手段に電力が供給される時間を計測し、所定の時間によって、切替手段の開閉を制御し、切替手段から供給された交流電力を外部に出力することにより、商用電源から入力される電流量および供給時間によって補助電源から電力を外部に出力することができるため、外部機器に無駄なく補助電源の電力を供給することができるという効果を奏する。
【００２８】
また、請求項８にかかる発明によれば、蓄電手段から供給された直流電力を交流電力に変換する変換手段と、変換手段から供給された交流電力を入力し、入力された交流電力から直流電力を生成し、画像形成装置の内部に供給する直流電源生成手段と、変換手段と外部出力手段との接続を開閉する切替手段と、蓄電手段の電力量を検知する残量検知手段と、をさらに備え、残量検知手段によって検知された電力量に基づいて、切替手段の開閉を制御し、切替手段から供給された交流電力を外部に出力することにより、補助電源の蓄電量に応じて補助電源から電力を外部に出力することができるため、外部機器に無駄なく補助電源の電力を供給することができるという効果を奏する。
【００２９】
また、請求項９にかかる発明によれば、放電手段から供給された直流電力を交流電力に変換する変換手段と、変換手段によって変換された交流電力または商用電源から供給される交流電力のいずれか一方を供給するように切替える切替手段と、切替手段から供給された交流電力から直流電力を生成し、生成した直流電力を付属機器に供給する直流電源生成手段と、をさらに備え、電流検出手段によって検出された電流量および付属機器から送出される動作情報に基づいて、切替手段の切替を制御することにより、商用電源から入力される電流量と付属機器の動作状況によって補助電源から電力を外部に出力することができるため、付属機器に必要な電力を無駄なく供給することができるという効果を奏する。
【００３０】
また、請求項１０にかかる発明によれば、充放電可能な蓄電手段と、蓄電手段から供給される電力を外部に出力する外部出力手段とを備えることにより、補助電源の電力を外部に出力することができるため、非常時に画像形成装置の補助電源から電力を得ることができるという効果を奏する。
【００３１】
また、請求項１１にかかる発明によれば、蓄電手段で蓄電されている電力量の残量を検知する残量検知手段と、残量検知手段によって検知された電力量の残量を表示する表示手段とをさらに備えることにより、補助電源の電力量を表示することができるため、外部機器に必要な電力量が残存しているか否かを確認することができるという効果を奏する。
【００３２】
また、請求項１２にかかる発明によれば、制御ステップによって、電流検出手段によって検出された電流量に基づいて、放電手段による放電を行うか否かを制御することにより、蓄電手段に蓄電された電力を画像形成装置の外部に供給することができるため、画像形成装置の補助電源に蓄電されている電力を有効に活用することができるという効果を奏する。
【００３３】
また、請求項１３にかかる発明によれば、請求項１２に記載された電力供給制御方法をコンピュータに実行させることにより、蓄電手段に蓄電された電力を画像形成装置の外部に供給することができるため、画像形成装置の補助電源に蓄電されている電力を有効に活用することができるという効果を奏する。
【発明を実施するための最良の形態】
【００３４】
以下に添付図面を参照して、本発明にかかる画像形成装置、電力供給制御方法および電力供給制御プログラムの最良な実施の形態を詳細に説明する。なお、本発明はこれらの実施の形態に限定されるものではない。以下の実施の形態にかかる画像形成装置は、多機能な複合機として説明するが、複合機の他、複写機、プリンタなどであってもよい。
【００３５】
（第１の実施の形態）
第１の実施の形態について、添付図面を参照して説明する。第１の実施の形態にかかる画像形成装置は、電源回路内に補助電源の電力を外部へ供給する。
【００３６】
まず、本発明が適用される画像形成装置の構成例について説明する。図１は、第１の実施の形態にかかる画像形成装置の構成を示すブロック図である。本実施の形態にかかる画像形成装置１００は、電源回路１１０と、ＡＣ電源１０１と、外部出力部１０９とを備えている。
【００３７】
電源回路１１０は、画像形成装置１００の各部が必要とする電力を供給する。電源回路１１０の構成の詳細は後述する。ＡＣ電源１０１は、商用電源から交流電力を画像形成装置１００に供給する。外部出力部１０９は、電源回路１１０から電力を外部機器２００に供給する。なお、外部機器２００とは、テレビ、ラジオ、ライトスタンド、パソコン、デジタルカメラ、携帯電話充電器等であり、これらの外部機器に電力を供給することによって、災害時のように商用電源からの電力の供給が停止した場合であっても、外部機器に電源を供給することができる。
【００３８】
次に、電源回路１１０について詳細に説明する。図２は、第１の実施の形態にかかる電源回路の構成を示すブロック図である。電源回路１１０は、主電源スイッチ１０２と、入力電流検出回路１０３と、ＤＣ電源生成回路（ＰＳＵ）１０４と、制御回路１０５と、充電器１０６と、キャパシタ１０７と、放電器１０８とを備えている。放電器１０８は、外部出力部１０９に接続されている。
【００３９】
主電源スイッチ１０２は、ＡＣ電源１０１から入力された電流の供給のＯＮ／ＯＦＦを受付け、電源回路を接続または切断を行う。
【００４０】
入力電流検出回路１０３は、ＡＣ電源１０１から入力される入力電流を検出する。入力電流検出回路１０３は、主電源スイッチ１０２と、ＤＣ電源生成回路１０４および充電器１０６との間に設けられている。入力電流検出回路１０３は、主電源スイッチ１０２を介して入力されるＡＣ電源１０１の入力電流を検出して、検出電流信号Ｓ１を制御回路１０５に出力する。この入力電流は、ＤＣ電源生成回路１０４、充電器１０６および画像形成装置の動作状態に応じて変動する。
【００４１】
ＤＣ電源生成回路（ＰＳＵ）１０４は、画像形成装置のＤＣ電源を生成する。ＤＣ電源生成回路１０４は、主電源スイッチ１０２および入力電流検出回路１０３を介して、ＡＣ電源１０１から出力された交流電力が供給される。ＤＣ電源生成回路１０４は、主電源スイッチ１０２を介して入力されるＡＣ電源１０１に基づいて、画像形成装置内部で主に制御系で使用される電源と、主に駆動系、中高圧電源に使用される電源を生成して、各部に出力する。
【００４２】
制御回路１０５は、電源回路１０１の各部を制御するものであり、特に充電器１０６や放電器１０８の動作を制御する。なお、制御回路１０５の機能は、プログラムによって実現してもよい。充電器１０６は、キャパシタ１０７を充電する。充電器１０６は、主電源スイッチ１０２および入力電流検出回路１０３を介して、ＡＣ電源１０１から出力された交流電力が供給される。充電器１０６は、キャパシタ１０７と接続され、制御回路１０５から出力された制御信号Ｓ２に従ってキャパシタ１０７の充電を行う。図３は、充電器の一例を示す説明図である。充電器１０６は、図３に示すように制御回路１０５から出力された制御信号Ｓ２によってスイッチを切替えることにより、充電を行う。
【００４３】
キャパシタ１０７は、化学反応を伴わない電気二重層コンデンサを使用している。キャパシタ１０７は、電気二重層コンデンサを使用することにより、短時間で充電することができ、大電力を短時間で放電することができ、寿命が長く、充電し続けた場合でも安全性を高めることができる。キャパシタ１０７は、充電器１０６および放電器１０８に接続され、充電器１０６で充電される。キャパシタ１０７に充電された電力は、制御回路１０５の制御によって外部出力部１０９を介して外部に電源を供給する。
【００４４】
放電器１０８は、キャパシタ１０７を放電する。放電器１０８は、キャパシタ１０７と接続され、制御回路１０５から入力される制御信号Ｓ３に従ってキャパシタ１０７の放電を行う。図４は、放電器の一例を示す説明図である。放電器１０８は、図４に示すように制御回路１０５から出力された制御信号Ｓ３によってスイッチを切替えることにより、放電する。
【００４５】
次に、上述したように構成されている電源回路１１０による電力供給制御処理について説明する。図５は、電源回路が行う電源供給制御処理手順を示すフローチャートである。
【００４６】
入力電流検出回路１０３は、ＡＣ電源１０１からの入力電流を検出しているか否かを判断する（ステップＳ５０１）。ＡＣ電源１０１からの入力電流を検出していると判断した場合は（ステップＳ５０１：Ｙｅｓ）、制御回路１０５は放電器１０８に制御信号Ｓ３を送出し、放電器１０８をＯＦＦにする（ステップＳ５０２）。さらに、制御回路１０５は、充電器１０６に制御信号Ｓ２を送出し、充電器１０６をＯＮにする（ステップＳ５０３）。これにより、ＡＣ電源１０１からの入力電流によって、キャパシタ１０７を充電する。
【００４７】
ＡＣ電源１０１からの入力電流を検出していないと判断した場合は（ステップＳ５０１：Ｎｏ）、制御回路１０５は充電器１０６に制御信号Ｓ２を送出し、充電器１０６をＯＦＦにする（ステップＳ５０４）。さらに、制御回路１０５は、放電器１０８に制御信号Ｓ３を送出し、放電器１０８をＯＮにする（ステップＳ５０５）。これにより、キャパシタ１０７からの電力を外部出力部１０９に供給することができる。
【００４８】
このように、停電や電源プラグの引抜き等によってＡＣ電源からの電力供給が停止した場合に、キャパシタからコンセントのような外部出力部に電力を供給することができるため、外部出力部に接続された外部機器に電力が供給することができる。災害等の非常時に、画像形成装置に蓄電している電力を外部に供給することができるため、画像形成装置の電力を有効に活用することができる。
【００４９】
本実施の形態の変形例を説明する。他の実施の形態にかかる画像形成装置は、電源回路内のキャパシタから出力された直流電力を交流電力に変換して外部へ供給する。図６は、他の実施の形態にかかる電源回路の構成を示すブロック図である。本実施の形態の電源回路１２０は、上述した第１の実施の形態にかかる電源回路１１０に、さらにＤＣ／ＡＣインバータ１１１を備え、ＤＣ／ＡＣインバータ１１１は外部出力部１０９に接続されている。ＤＣ／ＡＣインバータ１１１は、放電器１０８から出力されたキャパシタ１０７の直流電力を交流電力に変換する。これにより、交流電力で動作する外部機器に対しても、電力を供給でき、動作させることができる。
【００５０】
（第２の実施の形態）
第２の実施の形態について、添付図面を参照して説明する。第２の実施の形態にかかる画像形成装置は、電源回路内の補助電源から出力された直流電力を交流電力に変換し、変換された交流電力と、ＡＣ電源から供給される交流電力とを切替え、供給された交流電力を直流電力に変換して外部へ供給する。
【００５１】
本発明が適用される画像形成装置の構成例について、第１の実施の形態および変形例と異なる部分、すなわち電源回路について説明する。図７は、第２の実施の形態にかかる電源回路の構成を示すブロック図である。本実施の形態にかかる電源回路１３０は、主電源スイッチ１０２と、入力電流検出回路１０３と、ＤＣ電源生成回路１０４と、制御回路１０５と、充電器１０６と、キャパシタ１０７と、放電器１０８と、ＤＣ／ＡＣインバータ１１１と、切替スイッチ１１２とを備えている。ＤＣ電源生成回路１０４は、外部出力部１０９に接続されている。
【００５２】
ここで、主電源スイッチ１０２と、入力電流検出回路１０３と、ＤＣ電源生成回路１０４と、制御回路１０５と、充電器１０６と、キャパシタ１０７と、放電器１０８と、ＤＣ／ＡＣインバータ１１１の構成、機能は、第１の実施の形態および変形例とほぼ同様であるので、異なる部分のみを説明する。
【００５３】
切替スイッチ１１２は、制御回路１０５から送出される制御信号Ｓ４に従って、入力する電力をＤＣ/ＡＣインバータ１１１から出力される交流電力と、ＡＣ電源１０１の交流電力とのいずれか一方に切替える。切替スイッチ１１２は、入力された交流電力をＤＣ電源生成回路１０４に供給する。ＤＣ電源生成回路１０４は、交流電力を直流電力に変換し、変換された直流電力を外部出力部１０９および制御回路１０５に供給する。
【００５４】
次に、上述したように構成されている電源回路１３０による電力供給制御処理について説明する。図８は、電源回路が行う電源供給制御処理手順を示すフローチャートである。
【００５５】
入力電流検出回路１０３は、ＡＣ電源１０１からの入力電流を検出しているか否かを判断する（ステップＳ８０１）。ＡＣ電源１０１からの入力電流を検出していると判断した場合は（ステップＳ８０１：Ｙｅｓ）、制御回路１０５は、放電器１０８に制御信号Ｓ３を送出し、放電器１０８をＯＦＦにする（ステップＳ８０２）。制御回路１０５は、充電器１０６に制御信号Ｓ２を送出し、充電器１０６をＯＮにする（ステップＳ８０３）。制御回路１０５は、切替スイッチ１１２に制御信号Ｓ４を送出し、切替スイッチ１１２をＡＣ電源１０１側に切替える（ステップＳ８０４）。これにより、ＡＣ電源１０１から入力された電力を外部出力部１０９に供給することができる。
【００５６】
ＡＣ電源１０１からの入力電流を検出していないと判断した場合は（ステップＳ８０１：Ｎｏ）、制御回路１０５は、充電器１０６に制御信号Ｓ２を送出し、充電器１０６をＯＦＦにする（ステップＳ８０５）。制御回路１０５は、放電器１０８に制御信号Ｓ３を送出し、放電器１０８をＯＮにする（ステップＳ８０６）。制御回路１０５は、切替スイッチ１１２に制御信号Ｓ４を送出し、切替スイッチ１１２をキャパシタ１０７出力側に切替える（ステップＳ８０７）。これにより、キャパシタ１０７から出力される電力を外部出力部１０９に供給することができる。
【００５７】
このように、ＡＣ電源からの電力の供給が停止した場合に、キャパシタからコンセントのような外部出力部に電力を供給することができるため、外部出力部に接続された外部機器に電力を供給することができる。災害等の非常時に、画像形成装置から蓄電している電力を外部に供給することができるため、画像形成装置内の電力を有効に活用することができる。また、ＡＣ電源から電力供給可能な場合は、ＡＣ電源からの電力を直流電力に変換して外部に供給することができるため、停電した場合も停電から復旧した場合も電力を途切れさせることなく連続して直流電力を外部に供給することができる。
【００５８】
（第３の実施の形態）
第３の実施の形態について、添付図面を参照して説明する。第３の実施の形態にかかる画像形成装置は、電源回路内の補助電源から出力される直流電力と、ＡＣ電源から供給される交流電力を整流した直流電力とを切替えることにより、直流電力を画像形成装置の内部または外部へ供給する。
【００５９】
本発明が適用される画像形成装置の構成例について、第１の実施の形態、変形例および第２の実施の形態と異なる部分、すなわち電源回路について説明する。図９は、第３の実施の形態にかかる電源回路の構成を示すブロック図である。本実施の形態の電源回路１４０は、主電源スイッチ１０２と、入力電流検出回路１０３と、ＤＣ電源生成回路１４４と、制御回路１０５と、充電器１０６と、キャパシタ１０７と、放電器１０８とを備えている。ＤＣ電源生成回路１４４は、外部出力部１０９に接続されている。
【００６０】
ここで、主電源スイッチ１０２と、入力電流検出回路１０３と、制御回路１０５と、充電器１０６と、キャパシタ１０７と、放電器１０８の構成、機能は、第１の実施の形態、変形例および第２の実施の形態とほぼ同様であるので、異なる部分のみを説明する。
【００６１】
ＤＣ電源生成回路１４４は、さらに切替スイッチ１１３と、インバータ１１４と、整流回路１１５を備えている。整流回路１１５は、ＡＣ電源１０１から入力された交流電力を直流電力に変換する。
【００６２】
切替スイッチ１１３は、制御回路１０５から送出される制御信号Ｓ５に従って、入力する電力を整流回路１１５によって変換された直流電力と、放電器１０８から出力される直流電力とのいずれか一方に切替える。切替スイッチ１１３は、入力された直流電力をインバータ１１４に供給する。インバータ１１４は、制御回路１０５すなわち画像形成装置の内部、または外部出力部１０９すなわち画像形成装置の外部に直流電力を供給する。
【００６３】
次に、上述したように構成されている電源回路１４０による電力供給制御処理について説明する。図１０は、電源回路が行う電源供給制御処理手順を示すフローチャートである。
【００６４】
入力電流検出回路１０３は、ＡＣ電源１０１からの入力電流を検出しているか否かを判断する（ステップＳ１００１）。ＡＣ電源１０１からの入力電流を検出していると判断した場合は（ステップＳ１００１：Ｙｅｓ）、制御回路１０５は、放電器１０８に制御信号Ｓ３を送出し、放電器１０８をＯＦＦにする（ステップＳ１００２）。制御回路１０５は、充電器１０６に制御信号Ｓ２を送出し、充電器１０６をＯＮにする（ステップＳ１００３）。制御回路１０５は、切替スイッチ１１３に制御信号Ｓ５を送出し、切替スイッチ１１３をＡＣ電源１０１側に切替える（ステップＳ１００４）。これにより、ＡＣ電源１０１から入力された電力を、外部出力部１０９および制御回路１０５に供給することができる。
【００６５】
ＡＣ電源１０１からの入力電流を検出していないと判断した場合は（ステップＳ１００１：Ｎｏ）、制御回路１０５は、充電器１０６に制御信号Ｓ２を送出し、充電器１０６をＯＦＦにする（ステップＳ１００５）。制御回路１０５は、放電器１０８に制御信号Ｓ３を送出し、放電器１０８をＯＮにする（ステップＳ１００６）。制御回路１０５は、切替スイッチ１１３に制御信号Ｓ５を送出し、切替スイッチ１１３をキャパシタ１０７出力側に切替える（ステップＳ１００７）。これにより、キャパシタ１０７から出力される電力を外部出力部１０９または制御回路１０５に供給することができる。
【００６６】
このように、ＡＣ電源からの電力の供給が停止した場合でも、キャパシタから外部出力部または画像形成装置の内部に電力を供給することができる。災害等の非常時に、画像形成装置から蓄電している電力を外部に供給することができるため、画像形成装置内の電力を有効に活用することができる。また、ＡＣ電源から電力供給可能な場合は、ＡＣ電源からの電力を直流電力に変換して外部または画像形成装置の内部に供給することができるため、停電した場合も停電から復旧した場合も電力を途切れさせることなく連続して供給することができる。
【００６７】
（第４の実施の形態）
第４の実施の形態について、添付図面を参照して説明する。第４の実施の形態にかかる画像形成装置は、電源回路内の補助電源から出力される直流電力を外部へ供給する。
【００６８】
本発明が適用される画像形成装置の構成例について、第１〜第３の実施の形態と異なる部分すなわち電源回路について説明する。図１１は、第４の実施の形態にかかる電源回路の構成を示すブロック図である。本実施の形態の電源回路１５０は、主電源スイッチ１０２と、入力電流検出回路１０３と、ＤＣ電源生成回路１０４と、制御回路１０５と、充電器１０６と、キャパシタ１０７とを備えている。キャパシタ１０７は、外部出力部１０９に接続されている。
【００６９】
ここで、主電源スイッチ１０２と、入力電流検出回路１０３と、ＤＣ電源生成回路１０４と、制御回路１０５と、充電器１０６と、キャパシタ１０７の構成、機能は、第１〜第３の実施の形態とほぼ同様であるので、異なる部分のみを説明する。
【００７０】
ＤＣ電源生成回路１０４は、ＡＣ電源１０１から供給された交流電力を直流電力に変換し、制御回路１０５に供給する。制御回路１０５は、入力電流検出回路１０３によってＡＣ電源１０１から入力される電流を検出し、充電器１０６に対してキャパシタ１０７に対する充電動作を制御する。
【００７１】
次に、上述したように構成されている電源回路１５０による電力供給制御処理について説明する。図１２は、電源回路が行う電源供給制御処理手順を示すフローチャートである。
【００７２】
入力電流検出回路１０３は、ＡＣ電源１０１からの入力電流を検出しているか否かを判断する（ステップＳ１２０１）。ＡＣ電源１０１からの入力電流を検出していると判断した場合は（ステップＳ１２０１：Ｙｅｓ）、充電器１０６に制御信号Ｓ２を送出し、充電器１０６をＯＮにする（ステップＳ１２０２）。これにより、ＡＣ電源１０１から入力された電力でキャパシタ１０７が充電される。
【００７３】
ＡＣ電源１０１からの入力電流を検出していないと判断した場合は（ステップＳ１２０１：Ｎｏ）、制御回路１０５は、充電器１０６に制御信号Ｓ２を送出し、充電器１０６をＯＦＦにする（ステップＳ１２０３）。これにより、キャパシタ１０７への充電が停止される。
【００７４】
このように、キャパシタ１０７から直接外部出力部１０９に接続することにより、外部出力部に接続された外部機器に電力が供給することができる。画像形成装置から蓄電している電力を外部に供給することができるため、画像形成装置内の電力を有効に活用することができる。なお、このような場合、外部出力部に接続されている外部機器側で放電器を備え、外部機器への電力の供給が制御される。
【００７５】
本実施の形態の変形例を説明する。他の実施の形態にかかる画像形成装置は、さらにキャパシタの蓄電残量を検知して表示する。図１３は、他の実施の形態にかかる電源回路の構成を示すブロック図である。本実施の形態の電源回路１６０は、上述した第４の実施の形態にかかる電源回路１５０に、さらに残量検知部１１７と、表示部１１８を備えている。残量検知部１１７は、キャパシタ１０７に蓄電している電力量を検知する。表示部１１８は、残量検知部１１７によって検知された蓄電残量を示す制御信号Ｓ１０を受信し、蓄電残量を表示する。これにより、キャパシタの蓄電残量を確認することができ、外部機器で必要な電力を残存しているか確認した上で外部への接続を行うことができる。
【００７６】
（第５の実施の形態）
第５の実施の形態について、添付図面を参照して説明する。第５の実施の形態にかかる画像形成装置は、電源回路内の補助電源から出力される直流電力を変換した交流電力と、ＡＣ電源から供給される交流電力とを切替え、外部へ供給する。
【００７７】
本発明が適用される画像形成装置の構成例について、第１〜第４の実施の形態と異なる部分である電源回路について説明する。図１４は、第５の実施の形態にかかる電源回路の構成を示すブロック図である。本実施の形態の電源回路１７０は、主電源スイッチ１０２と、入力電流検出回路１０３と、ＤＣ電源生成回路１０４と、制御回路１０５と、充電器１０６と、キャパシタ１０７と、放電器１０８と、ＤＣ／ＡＣインバータ１１１と、切替スイッチ１１２とを備えている。切替スイッチ１１２は、外部出力部１０９に接続されている。
【００７８】
ここで、主電源スイッチ１０２と、入力電流検出回路１０３と、ＤＣ電源生成回路１０４と、制御回路１０５と、充電器１０６と、キャパシタ１０７と、放電器１０８と、ＤＣ／ＡＣインバータ１１１の構成、機能は、第１〜第４の実施の形態とほぼ同様であるので、異なる部分のみを説明する。
【００７９】
切替スイッチ１１２は、制御回路１０５から送出される制御信号Ｓ６により、入力する交流電力をＡＣ電源１０１から入力された交流電力と、ＤＣ/ＡＣインバータ１１１から出力される交流電力とのいずれか一方に切替える。切替スイッチ１１２は、入力された交流電力を外部出力部１０９およびＤＣ電源生成回路１０４に供給する。ＤＣ電源生成回路１０４は、交流電力を直流電力に変換し、変換された直流電力を制御回路１０５に供給する。
【００８０】
次に、上述したように構成されている電源回路１７０による電力供給制御処理について説明する。図１５は、電源回路が行う電源供給制御処理手順を示すフローチャートである。
【００８１】
入力電流検出回路１０３は、ＡＣ電源１０１からの入力電流を検出しているか否かを判断する（ステップＳ１５０１）。ＡＣ電源１０１からの入力電流を検出していると判断した場合は（ステップＳ１５０１：Ｙｅｓ）、制御回路１０５は放電器１０８に制御信号Ｓ３を送出し、放電器１０８をＯＦＦにする（ステップＳ１５０２）。制御回路１０５は、充電器１０６に制御信号Ｓ２を送出し、充電器１０６をＯＮにする（ステップＳ１５０３）。制御回路１０５は、切替スイッチ１１２に制御信号Ｓ６を送出し、切替スイッチ１１２をＡＣ電源１０１側に切替える（ステップＳ１５０４）。これにより、ＡＣ電源１０１から入力された電力を、外部出力部１０９または画像形成装置の内部に供給することができる。
【００８２】
ＡＣ電源１０１からの入力電流を検出していないと判断した場合は（ステップＳ１５０１：Ｎｏ）、制御回路１０５は、充電器１０６に制御信号Ｓ２を送出し、充電器１０６をＯＦＦにする（ステップＳ１５０５）。制御回路１０５は、放電器１０８に制御信号Ｓ３を送出し、放電器１０８をＯＮにする（ステップＳ１５０６）。制御回路１０５は、切替スイッチ１１２に制御信号Ｓ６を送出し、切替スイッチ１１２をキャパシタ１０７出力側に切替える（ステップＳ１５０７）。これにより、キャパシタ１０７から出力される電力を外部出力部１０９および画像形成装置の内部に供給することができる。
【００８３】
このように、ＡＣ電源からの電力の供給が停止した場合に、キャパシタから外部出力部に電力を供給することができるため、外部出力部に接続された外部機器に電力が供給することができる。災害等の非常時に、画像形成装置から蓄電している電力を外部に供給することができるため、画像形成装置内の電力を有効に活用することができる。また、ＡＣ電源から電力供給可能な場合は、ＡＣ電源からの電力を直流電力に変換して外部に供給することができるため、停電した場合にも停電から復旧した場合にも電力を途切れさせることなく連続して外部に供給することができる。
【００８４】
本実施の形態の変形例を説明する。他の実施の形態にかかる画像形成装置は、制御回路のタイマによって外部出力部への接続を切替える。図１６は、他の実施の形態にかかる電源回路の構成を示すブロック図である。本実施の形態の電源回路１８０は、ＤＣ／ＡＣインバータ１１１がＤＣ電源生成回路１０４に接続され、ＤＣ／ＡＣインバータ１１１から出力される交流電力を外部出力部１０９に接続する切替スイッチ１１６を制御回路１０５から出力される制御信号Ｓ７によって切替える。制御回路１０５は、タイマを内蔵し、タイマ設定時間によって制御信号Ｓ７を出力することによって、切替スイッチ１１６を切替える。切替スイッチ１１６が切替えられることにより、外部出力部１０９に交流電力が供給される。このように、タイマによって外部出力部への供給を制御することによって、キャパシタに蓄電されている電荷を外部出力部と画像形成装置の内部との双方に供給することができる。また、キャパシタの電力を外部出力部と画像形成装置の内部との双方に無駄なく効率的に出力するよう制御することができる。
【００８５】
さらに、他の変形例を説明する。図１７は、他の実施の形態にかかる電源回路の構成を示すブロック図である。本実施の形態にかかる電源回路１９０は、残量検知部１１７をさらに備える。残量検知部１１７は、キャパシタ１０７の蓄電量の残量を検知し、検知された残量を制御信号Ｓ８として制御回路１０５に送出する。制御回路１０５は、受取った制御信号Ｓ８が示すキャパシタ１０７の残量に基づいて、切替スイッチ１１６に制御信号Ｓ９を送出する。切替スイッチ１１６は、制御信号Ｓ９によって外部出力部１０９への電力の供給をＯＮ／ＯＦＦする。これにより、キャパシタ１０７の残量によって外部出力部１０９への電力供給を制御することができるため、外部に一定値以上の電源電圧を供給することができ、またキャパシタ１０７に蓄電されている電荷が一定値未満であれば無駄にキャパシタ１０７の電力が出力されることないよう制御することができる。
【００８６】
（第６の実施の形態）
第６の実施の形態について、添付図面を参照して説明する。第６の実施の形態にかかる画像形成装置は、電源回路内の補助電源から供給された直流電力を交流電力に変換し、変換された交流電力と、ＡＣ電源から供給される交流電力とを切替えることによって、画像形成装置に付属しているオプション機器へ電力を供給する。
【００８７】
本発明が適用される画像形成装置の構成例について、第１〜第５の実施の形態と異なる部分である電源回路について説明する。図１８は、第６の実施の形態にかかる電源回路の構成を示すブロック図である。本実施の形態の電源回路１９５は、主電源スイッチ１０２と、入力電流検出回路１０３と、ＤＣ電源生成回路１０４と、制御回路１０５と、充電器１０６と、キャパシタ１０７と、放電器１０８と、ＤＣ／ＡＣインバータ１１１と、切替スイッチ１１２とを備えている。ＤＣ電源生成回路１０４は、オプション機器１１９に接続されている。
【００８８】
ここで、主電源スイッチ１０２と、入力電流検出回路１０３と、ＤＣ電源生成回路１０４と、制御回路１０５と、充電器１０６と、キャパシタ１０７と、放電器１０８と、ＤＣ／ＡＣインバータ１１１と、切替スイッチ１１２の構成、機能は、第１〜第５の実施の形態とほぼ同様であるので、異なる部分のみを説明する。
【００８９】
オプション機器１１９は、画像形成装置に付属している機器であり、画像形成装置の内部とは別の電源系統となっている。制御回路１０５は、オプション機器１１９から動作状態を示す制御信号Ｓ１０を受信し、オプション機器１１９を駆動する制御信号Ｓ１１をオプション機器１１９に送出する。また、制御回路１０５はタイマを内蔵している。
【００９０】
入力電流検出回路１０３は、ＡＣ電源１０１から電力の供給停止を検出した場合に制御信号Ｓ１を制御回路１０５に送出する。また、オプション機器１１９は、制御回路１０５に動作中を示す制御信号Ｓ１０を送出する。制御回路１０５は、入力電力停止を示す制御信号Ｓ１とオプション機器１１９が動作中を示す制御信号Ｓ１０の両方を受信した場合に、切替スイッチ１１２に制御信号Ｓ４を送出する。切替スイッチ１１２は、制御信号Ｓ４によってキャパシタ１０７側に切替える。
【００９１】
ＤＣ電源生成回路１０４は、キャパシタ１０７から供給された交流電力を直流電力に変換し、オプション機器１１９および制御回路１０５に供給する。これにより、ＡＣ電源からの入力電力が停止したとしても、制御回路１０５およびオプション機器１１９に対して連続して電力を供給することができる。
【００９２】
例えば、オプション機器１１９が複写紙の搬送機構（ソータ）である場合において、ＡＣ電源から電力供給が停止した場合に、搬送機構内に複写紙が存在するか否かを検出する。搬出機構は、複写紙が存在するという制御信号Ｓ１０を制御回路１０５に送出する。制御回路１０５は、切替スイッチ１１２をキャパシタ１０７側に切替える制御信号Ｓ４を送信する。また、制御回路１０５は、内蔵するタイマによって時間を計測し、所定時間中搬送機構に搬送動作を継続する制御信号Ｓ１１を送出する。
【００９３】
これによって、停電や電源プラグの引抜き等によってＡＣ電源が突然停止された場合であっても、複写紙を排出することができ、紙詰まりを防止することができる。
【００９４】
図１９は、実施の形態にかかる複合機のハードウェア構成を示すブロック図である。本図に示すように、画像形成装置である複合機１００は、コントローラ１０とエンジン部（Engine）６０とをＰＣＩ（Peripheral Component Interconnect）バスで接続した構成となる。コントローラ１０は、複合機１００全体の制御と描画、通信、操作部２０からの入力を制御するコントローラである。エンジン部６０は、ＰＣＩバスに接続可能なプリンタエンジンなどであり、たとえば白黒プロッタ、１ドラムカラープロッタ、４ドラムカラープロッタ、スキャナまたはファックスユニットなどである。なお、このエンジン部６０には、プロッタなどのいわゆるエンジン部分に加えて、誤差拡散やガンマ変換などの画像処理部分が含まれる。
【００９５】
コントローラ１０は、ＣＰＵ１１と、ノースブリッジ（ＮＢ）１３と、システムメモリ（ＭＥＭ−Ｐ）１２と、サウスブリッジ（ＳＢ）１４と、ローカルメモリ（ＭＥＭ−Ｃ）１７と、ＡＳＩＣ（Application Specific Integrated Circuit）１６と、ハードディスクドライブ（ＨＤＤ）１８とを有し、ノースブリッジ（ＮＢ）１３とＡＳＩＣ１６との間をＡＧＰ（Accelerated Graphics Port）バス１５で接続した構成となる。また、ＭＥＭ−Ｐ１２は、ＲＯＭ（Read Only Memory）１２ａと、ＲＡＭ(Random Access Memory)１２ｂと、をさらに有する。
【００９６】
ＣＰＵ１１は、複合機１００の全体制御をおこなうものであり、ＮＢ１３、ＭＥＭ−Ｐ１２およびＳＢ１４からなるチップセットを有し、このチップセットを介して他の機器と接続される。
【００９７】
ＮＢ１３は、ＣＰＵ１１とＭＥＭ−Ｐ１２、ＳＢ１４、ＡＧＰバス１５とを接続するためのブリッジであり、ＭＥＭ−Ｐ１２に対する読み書きなどを制御するメモリコントローラと、ＰＣＩマスタおよびＡＧＰターゲットとを有する。
【００９８】
ＭＥＭ−Ｐ１２は、プログラムやデータの格納用メモリ、プログラムやデータの展開用メモリ、プリンタの描画用メモリなどとして用いるシステムメモリであり、ＲＯＭ１２ａとＲＡＭ１２ｂとからなる。ＲＯＭ１２ａは、プログラムやデータの格納用メモリとして用いる読み出し専用のメモリであり、ＲＡＭ１２ｂは、プログラムやデータの展開用メモリ、プリンタの描画用メモリなどとして用いる書き込みおよび読み出し可能なメモリである。
【００９９】
ＳＢ１４は、ＮＢ１３とＰＣＩデバイス、周辺デバイスとを接続するためのブリッジである。このＳＢ１４は、ＰＣＩバスを介してＮＢ１３と接続されており、このＰＣＩバスには、ネットワークインターフェース（Ｉ／Ｆ）部なども接続される。
【０１００】
ＡＳＩＣ１６は、画像処理用のハードウェア要素を有する画像処理用途向けのＩＣ（Integrated Circuit）であり、ＡＧＰバス１５、ＰＣＩバス、ＨＤＤ１８およびＭＥＭ−Ｃ１７をそれぞれ接続するブリッジの役割を有する。このＡＳＩＣ１６は、ＰＣＩターゲットおよびＡＧＰマスタと、ＡＳＩＣ１６の中核をなすアービタ（ＡＲＢ）と、ＭＥＭ−Ｃ１７を制御するメモリコントローラと、ハードウェアロジックなどにより画像データの回転などをおこなう複数のＤＭＡＣ（Direct Memory Access Controller）と、エンジン部６０との間でＰＣＩバスを介したデータ転送をおこなうＰＣＩユニットとからなる。このＡＳＩＣ１６には、ＰＣＩバスを介してＦＣＵ（Fax Control Unit）３０、ＵＳＢ（Universal Serial Bus）４０、ＩＥＥＥ１３９４（the Institute of Electrical and Electronics Engineers 1394）インターフェース５０が接続される。
【０１０１】
ＭＥＭ−Ｃ１７は、コピー用画像バッファ、符号バッファとして用いるローカルメモリであり、ＨＤＤ（Hard Disk Drive）１８は、画像データの蓄積、プログラムの蓄積、フォントデータの蓄積、フォームの蓄積を行うためのストレージである。
【０１０２】
ＡＧＰは、グラフィック処理を高速化するために提案されたグラフィックスアクセラレーターカード用のバスインターフェースであり、ＭＥＭ−Ｐ１２に高スループットで直接アクセスすることにより、グラフィックスアクセラレーターカードを高速にするものである。
【０１０３】
なお、本実施の形態の複合機１００で実行される電力供給制御プログラムは、ＲＯＭ等に予め組み込まれて提供される。
【０１０４】
本実施の形態の複合機１００で実行される電力供給制御プログラムは、インストール可能な形式又は実行可能な形式のファイルでＣＤ−ＲＯＭ、フレキシブルディスク（ＦＤ）、ＣＤ−Ｒ、ＤＶＤ（Ｄｉｇｉｔａｌ  Ｖｅｒｓａｔｉｌｅ  Ｄｉｓｋ）等のコンピュータで読み取り可能な記録媒体に記録して提供するように構成してもよい。
【０１０５】
さらに、本実施の形態の複合機１００で実行される電力供給制御プログラムを、インターネット等のネットワークに接続されたコンピュータ上に格納し、ネットワーク経由でダウンロードさせることにより提供するように構成してもよい。また、本実施の形態の複合機１００で実行される電力供給制御プログラムをインターネット等のネットワーク経由で提供または配布するように構成してもよい。
【０１０６】
本実施の形態の複合機１００で実行される電力供給制御プログラムは、上述した各部（制御部等）を含むモジュール構成となっており、実際のハードウェアとしてはＣＰＵ（プロセッサ）が上記ＲＯＭから電力供給制御プログラムを読み出して実行することにより上記各部が主記憶装置上にロードされ、制御部等が主記憶装置上に生成されるようになっている。
【０１０７】
以上、本発明を第１〜第６の実施の形態を用いて説明してきたが、上述した実施の形態に多様な変更または改良を加えることができる。なお、上述した第１〜第６の実施の形態において説明した構成や機能は、自由に組み合わせることができる。
【図面の簡単な説明】
【０１０８】
【図１】第１の実施の形態にかかる画像形成装置の構成を示すブロック図である。
【図２】第１の実施の形態にかかる電源回路の構成を示すブロック図である。
【図３】充電器の一例を示す説明図である。
【図４】放電器の一例を示す説明図である。
【図５】電源回路が行う電源供給制御処理手順を示すフローチャートである。
【図６】他の実施の形態にかかる電源回路の構成を示すブロック図である。
【図７】第２の実施の形態にかかる電源回路の構成を示すブロック図である。
【図８】電源回路が行う電源供給制御処理手順を示すフローチャートである。
【図９】第３の実施の形態にかかる電源回路の構成を示すブロック図である。
【図１０】電源回路が行う電源供給制御処理手順を示すフローチャートである。
【図１１】第４の実施の形態にかかる電源回路の構成を示すブロック図である。
【図１２】電源回路が行う電源供給制御処理手順を示すフローチャートである。
【図１３】他の実施の形態にかかる電源回路の構成を示すブロック図である。
【図１４】第５の実施の形態にかかる電源回路の構成を示すブロック図である。
【図１５】電源回路が行う電源供給制御処理手順を示すフローチャートである。
【図１６】他の実施の形態にかかる電源回路の構成を示すブロック図である。
【図１７】他の実施の形態にかかる電源回路の構成を示すブロック図である。
【図１８】第６の実施の形態にかかる電源回路の構成を示すブロック図である。
【図１９】実施の形態にかかる複合機のハードウェア構成を示すブロック図である。
【符号の説明】
【０１０９】
１００  画像形成装置
１０１  ＡＣ電源
１０２  主電源スイッチ
１０３  入力電流検出回路
１０４  １４４  ＤＣ電源生成回路
１０５  制御回路
１０６  充電器
１０７  キャパシタ
１０８  放電器
１０９  外部出力部
１１０  １２０  １３０  １４０  １５０  １６０  １７０  １８０  １９０
１９５  電源回路
１１１  ＤＣ／ＡＣインバータ
１１２  １１３  １１６  切替スイッチ
１１４  インバータ
１１５  整流回路
１１７  残量検知部
１１８  表示部
１１９  オプション機器
２００  外部機器
【図１】
2008070429.tif 000003
【図２】
2008070429.tif 000004
【図３】
2008070429.tif 000005
【図４】
2008070429.tif 000006
【図５】
2008070429.tif 000007
【図６】
2008070429.tif 000008
【図７】
2008070429.tif 000009
【図８】
2008070429.tif 000010
【図９】
2008070429.tif 000011
【図１０】
2008070429.tif 000012
【図１１】
2008070429.tif 000013
【図１２】
2008070429.tif 000014
【図１３】
2008070429.tif 000015
【図１４】
2008070429.tif 000016
【図１５】
2008070429.tif 000017
【図１６】
2008070429.tif 000018
【図１７】
2008070429.tif 000019
【図１８】
2008070429.tif 000020
【図１９】
2008070429.tif 000021